(57)【要約】【目的】この袴の目的は、従来の袴の問題であった、着付けの工程を大幅に改善し、誰もが容易かつ簡便に着用でき、また再着用の際、着用者の最善の位置に常に固定できる平面ファスナー付きの帯を有し、着方次第で作務衣にもなる２ウェイ袴を提供することである。【構成】背部から取り回される帯２本を接合部の平面ファスナーで調整し、２個のボタンを側面接合部にて接合させることで、着衣、脱衣、調整が誰でも容易に行うことができ、再着用の際、前回着用の胴回り寸法そのままの同位置にて、再着用することができ、袴・作務衣の選択が自由に出来る。【特許請求の範囲】
【請求項１】
着衣、脱衣、腰の周り寸法調整を、容易かつ簡便に行える閉め具を有する和装袴であって、従来の袴着用時に必要とされる、袴に付着した前後の紐、更に袴の下に着物を着用する時必要な帯、袴がずり落ちないように帯に固定する為のヘラ、それらの全てを一つにまとめた機能を有する帯状ベルトの付いた上着を特徴とする和装袴。
【請求項２】
上着に付着した  帯状ベルトは袴の装いの特徴である背板を擁しているが、その背板部分に各個人の腰周りの寸法に合わせ調整する機能を有している、この帯状ベルトを上着に付着せず、単体の商品として消費者に提供する事も出来る。
【発明の詳細な説明】
【技術分野】
【０００１】本発明は袴着用方法に関し、特に容易かつ簡便に着用できる機能を有する  和装袴に関する物である。
【背景技術】
【０００２】従来袴は先ず着物を着用し、角帯をしめる、袴の背板に着いているヘラを帯に固定する。次にその上から袴をはき二本の前紐の端部を身体の後部で結び、次に後紐を身体の前で結ぶ。【０００３】従来の袴の着用方法は相当な着付けの知識と経験が必要となる  手間のかかる作業である。
特に初心者には時間と技術を要する為  日本人として最も相応しい伝統的衣裳を着用する機会を持たない人が多くなってきた。【０００４】従来の袴は長い紐が４本付着しており脱衣後のたたみ、かたずけの際には大変手間のかかる事であり  又洗濯の際にもこの紐が絡まり効率が悪い【０００５】袴を容易に着用する為、たとえば実用登録新案第３０５２２４４などの改良された袴が提案されているが、これらの袴は、着用する度に紐結びは必要であり、又紐を通す環状部が露出している為袴の装いを損なう
【発明が解決しようとする課題】
【０００６】この和装袴の発明目的は  従来の問題であった着付けの工程を一切なくし、誰もが洋服感覚で容易かつ簡便に着用でき、再着用の際、帯を使用しなくても着用者の最適の位置に常に固定でき、帯と同様の体裁を保てる締め具を有する和装袴を提供する事である。
【０００７】本発明は今まで袴の装いをする際、必要であった着物の帯と本来袴に付いている背板を一体として独立、着物様の上着に装着し、元来袴に着いている前後４本の紐を廃した。
これにより、着衣、脱衣が帯部分の１っ箇所を固定又は外す事で完結する。
【０００８】着用時の胴回りの寸法調整は  背面の背板部に平面ファスナー１ａ，１ｂを装備、同じく平面ファスナー２ｂ，３ｂを装備した帯状のベルトを接合する時  ファスナーの位置調整により、個人の胴回りの寸法に任意に合わせる事が出来る。
【０００９】本発明により本来の帯結び、紐結び等の面倒な作業がいらないので  着付けの技術や知識が全く必要なく、洋服と同じように誰にでも簡単に着用する事ができる。
【００１０】本考案の帯は接合部分である背面の平面ファスナーによる着脱式である事から  本考案の和装袴を洗濯する際には帯部分を取り外す事により、自ら絡んだり  他の衣類等傷める心配がない。
【００１１】本考案の上着に取り付けた帯状ベルトの寸法調整及び固定具は着用時、伝統袴の背板と同様の形状をしているので和装袴の装いを損なう事がない。
【作用】
【００１２】本考案の袴は帯状ベルトに取り付けた背板の形状の考案により、上着の裾を出して着用する事も出来る。
このように着用の方法を変えるだけで、作務衣としても利用できる。
又伝統の袴のように帯むすび、紐結びなどの必要が無い事で従来の作務衣と同等の着易さが得られる。
【発明の効果】
【００１３】本考案の和装袴は  これまで必要とされていた技術や知識を全く必要とせず、容易に迅速かつ快適に着用する事が出来る。
しかも着用方法を変えるだけで作務衣としても利用でき、目的に応じて使い分ける事が出来る為２着分の効果があり経済的である。
又本考案袴は帯や紐結びが無い為、着崩れがなく活動的であり  旅館その他和風施設のユニフォームに最適である。
よって本考案は、利用者が少なくなりつつある日本古来の伝統的衣類、和装袴を幅広く普及させる事が出来る。
【００１４】従来の袴の装いは、着物、帯、袴とそれに付いた紐で構成され、特に袴を象徴する機能、形状の背板は本来、袴に付属する物である。
本考案の和装袴はその背板の機能、形状を上着に取り付ける事で様々な問題を解決する物である。
【発明を実施するための最良の形態】
【００１５】以下図面により実施例にあわせて  更に詳細に説明する
【実施例】
【００１６】図１は上着、パンツ、帯状ベルト、背板、の着用前の状態である、本来パンツ部に付いている背板１を上着に装着し、内部を展開したものである。【００１６】本考案の和装袴は上着背面に１ｃの部分で止められている背板形状部１を展開した内側の平面ファスナー１ａ１ｂに帯形状のベルト２，３の端に平面ファスナーを有した面２ｂ、３ｂを接合させ、更に１を折りたたみ１ｂと１ａを合わせる事で２，３、の端面接合部が見えないように、覆い隠す。
これにより  従来の袴に見られる背板形状と機能を有する事が出来る。【００１７】上記の構造により帯状ベルト２，３、の平面ファスナー１ａ、と帯状ベルト２，３の２ｂ３ｂの接合部位を平面ファスナーの寸法範囲内に於いて、調整し固定する事で着用者の最善の胴回り寸法位置で着用する事が出来る。
又これを販売する場合顧客が個別胴回り寸法に合わせて顧客自身で調整できる事から多くの寸法の商品を準備する必要が無く、在庫管理が容易である。【００１８】本考案の和装袴は洗濯する場合帯２，３、を取り外す事が出来る為  洗濯機や他の衣類に巻きつく事がなく  洗濯が容易になる。【００１９】本考案和装袴の特徴は上着の背面に付いた背板と一体になった帯状ベルトであるが、上着と背板は１Ｃの部分で縫い止められており、背板本体は内側に取り付けられた帯と共にフラップ状に持ち上げる事が出来る。
図４で示すように着用時は上着の裾部４を袴部パンツ５の中に入れ、更に背板１をフラップ状に上げて袴部５の上に位置し、４と１で５を挟むように着用する事で袴としての体裁で使用することが出来、上着と袴をつなぎとめる状態となる。【００２０】又上着裾部４を袴部５の外に出して使用すれば、作務衣として使用することが出来るため、趣の違った二通りの機能と体裁を楽しむ事が出来る。【００２１】本考案の帯状ベルトは上着背部１Ｃで縫い止められているが、ファスナー又は釦などで固定することも出来る。【００２２】ファスナー又は釦で取り付けてある帯状ベルトの場合、この帯状ベルトを外して  ベルト単体で使用する事も出来る。
又この背板つき帯状ベルトは背板付き和風ベルト６、として単体で販売提供する事も出来る。
【図面の簡単な説明】
【図１】上着、袴パンツ、帯状ベルト、背板、の着用前の状態
【図２】上着に付いた背板部に帯状ベルトを装着した斜視図。
【図３】上着の裾を出して背板部を展開、平面ファスナーが見える状態の斜視図
【図４】袴パンツと上着の裾と背板の関係の断面図
【図５】袴パンツの中に上着の裾を入れ帯状ベルトを締めた斜視図
【図６】袴として着用した正面図と背面図
【図７】袴パンツの上に上着の裾を出して帯状ベルトを締めた斜視図
【図８】作務衣として着用した  正面図と背面図
【図９】背板の上辺を上着に固定せず、単体の帯状ベルトとして袴時に使用する前の状態
【図１０】背板の上辺を上着に固定せず、単体の帯状ベルトとして作務衣時に使用する前の状態
【符号の説明】
１      背板様帯固定板
１ａ    帯固定平面ファスナー
１ｂ    平面ファスナー付帯固定部隠しパネル
１ｃ    背板上着取り付け部
２      帯状ベルト左
２ａ    左帯状ベルト釦穴
２ｂ    左帯状ベルト固定及び寸法調整ファスナー
３      帯状ベルト右
３ａ    右帯状ベルト固定用釦
３ｂ    右帯状ベルト固定及び寸法調整ファスナー
４      着物様上着
４ａ    着物様上着裾部
５      袴様襞付きパンツ
６      背板付き寸法調整ベルト、単体使用
【図１】
2009030213.tif 000002
【図２】
2009030213.tif 000003
【図３】
2009030213.tif 000004
【図４】
2009030213.tif 000005
【図５】
2009030213.tif 000006
【図６】
2009030213.tif 000007
【図７】
2009030213.tif 000008
【図８】
2009030213.tif 000009
【図９】
2009030213.tif 000010
【図１０】
2009030213.tif 000011